(57)【要約】      （修正有）【課題】電子部品の放熱装置に関し、外部の冷却空気及び電子部品間の熱交換の回数を増加する高効率の放熱装置を提供する。【解決手段】電子部品の温度を降下させる放熱装置に関するものであって、第一のファン２２と、第二のファン２４と、３個のフィン２６，２８，３０とを備えてなるものである。第一のフィンは、熱パイプで電子部品と接続されると共に、第一のファンにより吹出された気流を利用して温度降下し、第二のフィンは熱パイプで電子部品と接続されると共に、第二のファンにより吹出された気流を利用して温度降下し、第三のフィンは電子部品の熱源と緊密に連接され、そして第一のファンと第二のファンとの間に位置すると共に、両ファンの直列による増圧気流を利用して温度降下する。【選択図】図２
2004200642.tif 000002
【特許請求の範囲】
【請求項１】
電子部品の温度の降下に適用される放熱装置であって、
前記電子部品の第一の側に位置する第一のファンと、
前記電子部品の第二の側に位置する第二のファンと、
熱パイプで前記電子部品と接続すると共に、前記第一のファンにより吹出された気流の温度を降下させる第一のフィンと、
前記熱パイプで前記電子部品と接続すると共に前記第二のファンにより吹出された気流の温度を降下させる第二のフィンと、
前記電子部品の熱源と緊密に連接され、前記第一のファンと前記第二のファンとの間に位置すると共に、前記第二のファンの直列により発生された増圧気流を利用して温度降下する第三のフィンと、
を備えてなることを特徴とする放熱装置。
【請求項２】
前記第一のファンは遠心式ファンであって単一面において吸気、又は双面において吸気可能であることを特徴とする請求項１に記載の放熱装置。
【請求項３】
前記第二のファンは遠心式ファンであって単一面において吸気、又は双面において吸気可能であることを特徴とする請求項１に記載の放熱装置。
【請求項４】
前記第一のファン及び前記第三のフィンは水平高度が同一であり、前記第二のファンの水平高度は前記第三のフィンの水平高度よりもやや低くなっていることを特徴とする請求項１に記載の放熱装置。
【請求項５】
電子部品の温度の降下に適用される放熱装置であって、
前記電子部品の第一の側に位置する第一のファンと、
前記電子部品の第二の側に位置する第二のファンと、
前記電子部品の熱源に緊密に連接すると共に、前記第一のファンと第二のファンとの間に位置して、前記前記第二のファンの直列により発生された増圧気流を利用して温度降下する少なくとも一個の第一のフィンと、
を備えてなることを特徴とする放熱装置。
【請求項６】
前記放熱装置はさらに、熱パイプで前記電子部品と接続すると共に、前記第一のファン及び前記第二のファンより吹出された気流を利用して温度降下する第二のフィンセットを備え、この第二のフィンセットは少なくとも一個のフィンを含んでいる、ことを特徴とする請求項５記載の放熱装置。
【請求項７】
電子部品の温度の降下に適用される放熱装置であって、
前記電子部品の第一の側に位置する第一のファンと、
前記電子部品の第二の側に位置する第二のファンと、
熱パイプで前記電子部品と接続すると共に、前記第一のファンにより吹出された気流の温度を降下させる第一のフィンと、
前記熱パイプで前記電子部品と接続すると共に前記第二のファンにより吹出された気流の温度を降下させる第二のフィンと、
前記電子部品の熱源と緊密に連接され、前記第一のファンと前記第二のファンとの間に位置する第三のフィンとを備え、
前記第一のファン及び前記第三のフィンは水平高度が同一であり、前記第二のファンの水平高度は前記第三のフィンの水平高度よりもやや低くなっていることを特徴とする放熱装置。
【発明の詳細な説明】
【０００１】
【発明の属する技術分野】
本発明は電子部品の放熱装置に関し、特に、ノートブック・コンピュータにおける電子部品の放熱装置に関する。
【０００２】
【従来の技術】
情報科学技術の高度発展及びコンピュータ産業の応用普及につれて、携帯式装置、例えばノートブック・コンピュータ等の精密電子器具製品が広く使用されるようになった。同時に電子科学技術は日進月歩に進歩し、軽便性と実用性との考慮の下で、目前の市場における携帯式電子製品は一般に現代社会の生活方式に副うように、軽量、薄型、短小の傾向に走っている。その中、ノートブック・コンピュータは典型的な例であり、大量なディジタル化情報の強大な機能を有しているので、社会大衆に好まれ、広く応用されている。
【０００３】
集積回路の製造プロセスの改良にともない、集積回路の機能規格に対する要求が日増しに向上され、現今の集積回路の設計は精緻を極め、複雑になっている。中央処理装置を例にとれば、現在の使用者及び各種の応用ソフトウェアはいずれもそれに対して強大な需要を有しているので、その回路のレイアウトは早期なものよりも遥かに複雑になっている。これら中央処理装置の集積回路ウェーハは多くの強大な機能を提供している反面、新しい問題もそれにつれて発生している。例えば、複雑な回路設計により誘発された莫大な電気エネルギーの消耗ゆえに、ウェーハの温度の上昇を来たし、使用において非常に厳重な問題となっている。特に携帯式装置にあっては、温度上昇が益々悪化されている。一般に、ノートブック・コンピュータに最大な効能を発揮させるために、熱量の快速発散が要求されている。なぜならば、熱量が製品内部に集中して即時に発散できないと、電子元件に正常な働きを不可能にさせ、甚だしくは、全体のコンピュータをブレークダウンさせるからである。
【０００４】
図１は、従来の電子部品の放熱装置を示す立体透視図である。ハイワット数の中央処理装置（ＣＰＵ）を処理する場合は直接ＣＰＵ上に取付けられた放熱装置を利用して、ファン１２でＣＰＵ上方のフィン１４に吹付け、熱量をコンピュータの外部へ排出させるようにしているが、ハイワット数のＣＰＵについては、このような放熱装置の冷却効果はまだ実際の需要を満足できない。
【０００５】
この放熱効果を向上するために、直接ノートブック・コンピュータの外側で冷却空気を吸収することにより、効果的にＣＰＵ放熱効果を向上させることが出来るが、全体コンピュータの冷却効果はそれにつれて向上されていない。したがって、ＣＰＵとコンピュータ内部との放熱の需要に応ずるために、比較的大きな冷却ファンが必要になる。
【０００６】
【発明が解決しようとする課題】
したがって、如何に放熱効率を向上するかはノートブック・コンピュータのメーカー及び使用者の要望するところである。
本発明の主たる目的は、外部の冷却空気及び電子部品間の熱交換の回数を増加する高効率の放熱装置を提供することにある。
【０００７】
本発明の次の目的、複数の遠心式ファンを直列することにより、フィンを流れる気流量及び風速を増加して放熱速度を加速する高効率の放熱装置を提供することにある。
【０００８】
【課題を解決するための手段】
これら目的を達成するために本発明の解決手段は、電子部品の温度の降下に適用される放熱装置が提供される。この放熱装置は該電子部品の第一の側に位置する第一のファンと、該電子部品の第二の側に位置する第二のファンと、熱パイプで該電子部品と接続すると共に、該第一のファンにより吹出された気流の温度を降下させる第一のフィンと、熱パイプで該電子部品と接続すると共に前記第二のファンにより吹出された気流の温度を降下させる第二のフィンと、該電子部品の熱源と緊密に連接され、該第一のファンと前記第二のファンとの間に位置すると共に、該第二のファンの直列により発生された増圧気流を利用して温度降下する第三のフィンと、を備えてなる。（請求項１に対応）
【０００９】
上記本発明の放熱装置において、該記第一のファンは遠心式ファンであって単一面において吸気、又は双面において吸気可能である。（請求項２に対応）
【００１０】
上記本発明の放熱装置において、該第二のファンは遠心式ファンであって単一面において吸気、又は双面において吸気可能である。（請求項３に対応）
【００１１】
上記本発明の放熱装置において、該第一のファン及び該第三のフィンは水平高度が同一であり、該第二のファンの水平高度は該第三のフィンの水平高度よりもやや低くなっている。（請求項４に対応）
【００１２】
さらには上記目的を達成するために、本発明の他の解決手段は、電子部品の温度の降下に適用される放熱装置が提供される。この放熱装置は、該電子部品の第一の側に位置する第一のファンと、該電子部品の第二の側に位置する第二のファンと、該電子部品の熱源に緊密に連接すると共に、該第一のファンと第二のファンとの間に位置して、該前記第二のファンの直列により発生された増圧気流を利用して温度降下する少なくとも一個の第一のフィンとを備えてなる。（請求項５に対応）
【００１３】
上記本発明の放熱装置において、該放熱装置はさらに、熱パイプで該電子部品と接続すると共に、該第一のファン及び前記第二のファンより吹出された気流を利用して温度降下する第二のフィンセットを備え、該第二のフィンセットは少なくとも一個のフィンを含んでなる。（請求項６に対応）
【００１４】
【発明の実施の形態】
以下、実施例を挙げて添付図面を参照しながら本発明の技術的手段をより具体的に説明する。
図２は、本発明に係る放熱装置の一実施例を示す伏視図である。図２に示すように、本発明の放熱装置は２個のファン２２，２４と３個のフィン２６，２８，３０とを備え、２個のファンより直列放熱及び並列放熱が同時に応用される設計であり、これにより放熱装置の体積が減少されると共に、放熱効率が増加される。並列放熱とは、ある熱源がそれぞれ２個のファンより吹出された気流を通して同時に放熱することを指して言うが、２個のファンより送出された気流は互いに独立している。例えば図２において、フィン２８とフィン３０とはそれぞれ放熱パイプで接続され、ファン２２及びファン２４はフィン２８及びフィン３０上の熱量を送出するためのものである。したがって、ファン２２及びフィン２８内を流れる気流と、ファン２４及びフィン３０内を流れる気流とは互いに独立している。
【００１５】
また直列放熱とは、ある熱源がそれぞれ２個のファンより吹出された気流を通して同時に放熱することを指して言うが、２個のファンにより送出された気流は互いに関連している。言い換えれば、気流は２個のファンが同時に仕事したために圧力又は流量の変化を生ずる。例えば図２に見るように、ファン２２及びファン２４が仕事することにより、フィン２６を流れる気流が増加し、放熱効率を向上させることが出来る。
【００１６】
次に図３は本発明に係る放熱装置の他の実施例を示すトップ・ビューである。この図に示すように、本発明の放熱装置は２個のファン２２，２４と、３個のフィン２６，２８，３０とを備えてなる。ファン２６は、フィン２８に向かう吹出し方向２１と、フィン２６に向かう吹出し方向２３を有する。これに対し、ファン２４は１個の吹出し方向２５しか有していない。本実施例においては、吹出し方向２１及び吹出し方向２５は共にノートブック・コンピュータの外面に向かって吹出し、直接フィン上の熱量を外面の室温の空気に送出する。
【００１７】
フィンの作用は、熱源放熱の表面積を増加することにあり、直接熱源上（例えばフィン２６）に接続するか、又は熱パイプで接続（例えばフィン２８及びフィン３０がそれぞれ熱パイプ３１及び熱パイプで熱源と接続する）することにより達成される。フィンの表面積が大きければ大きいほど方熱効果が大であるが、体積及び実際に必要な放熱量の因子を考慮しなければならない。
【００１８】
図４は、図３のＡ−Ａ’断面を示す断面図である。上記のフィンは熱源の比較的大きな放熱面積を提供するが、単位面積の放熱量は流れる気流の温度と大きな関係がある。そして、流れる気流の温度が低ければ低いほどフィンの効能が高くなることから、この流れる気流の温度を低くする方法として、本実施例ではファンを直列に配置することにより気流の流量及び流速を増加して流れる気流の温度を低温に維持させている。例えば図４に示すように、フィン２６を流れる気流は、ファン２２とファン２４との直列を介して増圧される。なお、本実施例において使用されるファンは遠心式ファンであって、風は上下に向かって入り、側面に向かって出るが、上のみ、又は下のみへ向かって入り、側面へ向かって出るようにすることができる。即ち、図４において、ファン２２の風の流れる方向２７は上下両側から入り、側面に向かってフィン２６に吹付ける。この側面を流れる風はフィン２６を経過した後、別の遠心式ファン２４により、方向２９に向かって吸入される。したがって、フィン２６を流れる気流はファン２２により押出されると同時にファン２４に引っ張られることにより、気流の流量と流速が増加され、放熱効果が増進される。
【００１９】
また、遠心式ファンの直列方式の効率を増加する場合には、ファン位置の設計において特に注意を要する。本実施例においては、流れる気流が渦巻きを起こして遠心式ファンの直列効果を低減してしまうことがないように、ファン２２とファン２６とは大体同一水平高度に配置され、ファン２４はフィン２６の水平高度よりやや低く配置されている。
【００２０】
要するに、上記実施例から解かるように、本発明は同時に２個のファンの直列放熱及び並列放熱を応用しているので、放熱効率を増進すると共に、体積増大を回避できる利点が有り、実際の需要及び空間の制限に応じてファン数を直列的に増加することが出来る。
【００２１】
また、上記実施例は本発明の技術的手段をより具体的に説明するために挙げたもので、当然本発明はこれらの実施例に限定されるべきでなく、添付の特許請求の範囲を逸脱しない限り、当業者による単純な設計変更、付加及び置換はいずれも本発明の技術的範囲に属する。
【図面の簡単な説明】
【図１】従来の電子部品の放熱装置を示す見取図である。
【図２】本発明に係る放熱装置の一実施例を示す伏視図である。
【図３】本発明に係る放熱装置の他の実施例を示すトップ・ビューである。
【図４】図３のＡ−Ａ’断面を示す断面図である。
【符号の説明】
１２，２２，２４    ファン
１４，２６，２８，３０    フィン
２７，２９    風の流れ方向
２１，２３，２５    気流方向
３１，３３    熱パイプ
【図１】
2004200642.tif 000003
【図２】
2004200642.tif 000004
【図３】
2004200642.tif 000005
【図４】
2004200642.tif 000006